(57)【要約】【課題】  公知のコーナー連結に比べ、キャビンフレームを形成する個々の輪郭断面の迅速で経済的な連結を可能にする利点を有する構造をもたらす。【解決手段】  支持要素がベースフレーム（１）、ルーフフレーム（２）及びベースフレームをルーフフレームに連結する少なくとも４つのコーナー支柱（３，４，５，６）から成る空中ケーブルキャビンにおいて、ルーフフレーム（２）、ベースフレーム（１）及びコーナー支柱（３，４，５，６）の全ては、円形の内側横断面を有する管状部分からのみで形成され、それらは各コーナーで、３つの連結片（７ａ，７ｂ，７ｃ）を有するコーナー連結パーツ（７）によって連結され、それらの少なくとも１つは円錐形で、それらは各々コーナーを形成する３つの管状部分の１つの押し込まれる。３つの連結片全てが円錐形でない場合、非円錐形連結片を円柱形にして、その長さの６０％以上にわたって延在し弾性接着剤で充填されたくびれ部を備えることが適切である。【選択図】    図１
2006021756.tif 000002
【特許請求の範囲】
【請求項１】
支持要素がベースフレーム（１）、ルーフフレーム（２）及びベースフレームをルーフフレームに連結する少なくとも４つのコーナー支柱（３，４，５，６）から成る空中ケーブルキャビンにおいて、ルーフフレーム（２）、ベースフレーム（１）及びコーナー支柱（３，４，５，６）が円形の内側横断面を有する管状部分と複数のコーナー連結パーツ（７）とから成り、各コーナー連結パーツ（７）は３つの連結片（７ａ，７ｂ，７ｃ）を有し、連結片各々は、コーナーを形成し各々が連結片の挿入前に一定の内側横断面を有する３つの管状部分の１つに挿入され、少なくともコーナー支柱に収まる連結片が円錐形であることを特徴とする空中ケーブルキャビン。
【請求項２】
円錐形連結片各々のその自由端での外径が、押し込まれる管状部分の内径よりも小さいこと、及び円錐形連結片各々の、自由端と反対側に位置し管連結片内にある端部での外径が、連結片の自由端がある箇所での管状部分の内径（ｂ）よりも大きいことを特徴とする請求項１に記載の空中ケーブルキャビン。
【請求項３】
円錐形連結片各々の、その長さの１０％〜２０％だけ自由端から離れた箇所（Ｘ）での外径が、押し込まれる管状部分の本来の内径（ｂ）に対応することを特徴とする請求項２に記載の空中ケーブルキャビン。
【請求項４】
円錐形連結片各々のその自由端での径（ａ）が、押し込まれる管が終端する箇所（Ｙ）で０．１％〜５％小さいことを特徴とする請求項１〜３のいずれか一項に記載の空中ケーブルキャビン。
【請求項５】
非円錐形連結片が円柱形であり、その長さの６０％以上にわたって延在し弾性接着剤で充填されたくびれ部を備えることを特徴とする請求項１に記載の空中ケーブルキャビン。
【請求項６】
キャビンの内側からフレームパーツを形成する管状部分を通る単一ネジが円柱形連結片にねじ込まれていることを特徴とする請求項５に記載の空中ケーブルキャビン。
【請求項７】
連結片の少なくとも幾つかが連結片端部に向いて開いた円柱形窪みを有することを特徴とする請求項１〜６のいずれか一項に記載の空中ケーブルキャビン。
【発明の詳細な説明】
【技術分野】
【０００１】
本発明は、吊り下げられた又は連続する空中ケーブル（索道）のための空中ケーブルキャビンに関するもので、その支持要素はベースフレーム、ルーフフレーム及びベースフレームをルーフフレームに連結する少なくとも４つのコーナー支柱から成っている。
【背景技術】
【０００２】
例えば特許文献１に開示されるように、そのようなキャビンにおいて、今日通常は軽金属合金から成るフレームパーツは、幾らか自由に選択可能な横断面形状を有する輪郭ロッドから作られており、コーナーで互いに或いはコーナー連結点にネジ止めされ、リベット打ちされ又は溶接されている。これは構造的観点からも製造プロセスに関しても最適なものではない。
【０００３】
【特許文献１】ＣＨ６２６８４２
【特許文献２】ＤＥ３４４７０３６Ａ
【発明の開示】
【発明が解決しようとする課題】
【０００４】
したがって、本発明の課題は、公知のコーナー連結に比べ、キャビンフレームを形成する個々の輪郭断面の迅速で経済的な連結を可能にする利点を有する構造をもたらすことにある。
【０００５】
特許文献２は、輪郭ロッドと結節要素の間で一時的な固定、例えば最終固着までの固定を開示する。この公知構造において、或るコンポーネントは、連結が組み立てられた際に初期応力を伴って他のコンポーネントの対向面に作用する出っ張りを少なくとも接合部分で有し、２つのパーツを最終固着まで付加的な手段なしで一時的に固定する結果となる。
【課題を解決するための手段】
【０００６】
本発明は一時的な連結ではなく、いずれも出っ張りを有さないコーナー連結パーツとフレームパーツの間の恒久的な連結に関するものである。本発明に係る空中ケーブルキャビンの場合、この連結は請求項１の特徴部分の記載（所謂おいて部分より後半部分）の構成によって特徴づけられる。他の請求項は本発明の任意の態様を示している。
【０００７】
本発明の好適な形態は図面に関連して以下に記載される。
【発明を実施するための最良の形態】
【０００８】
図１から明らかなように、キャビンの支持要素は４つの管状部分１ａ，１ｂ，１ｃ，１ｄから形成された四角形ベースフレーム１と、４つの管状部分２ａ，２ｂ，２ｃ，２ｄから形成された同じく四角形のルーフフレーム２と、上記ベースフレーム１をルーフフレーム２に連結する少なくとも４つのコーナー支柱３，４，５，６から構成されている。全ての管状部分は円形の内側横断面を有するが、外側形状は所望の任意形状を取り得るもので、ベース、壁及びルーフ構造がそれら管状部分に簡単に固定され得る。図示の実施形態において、２つのフレーム１，２を形成する管状部分はストレートであり、コーナー支柱３，４，５，６は湾曲している。しかしながら、ストレートの管状部分のみ、或いは湾曲した管状部分のみを用いることも容易に可能である。
【０００９】
図２は、コーナーを形成する３つの管状部分４，１ａ，１ｂがどのように互いに連結されるかを示している。この目的に供されるコーナー連結パーツ７は３つの連結片７ａ，７ｂ，７ｃを有し、そのうち２つの連結片７ａ，７ｂはここでは円柱形で、連結片７ｃは僅かに円錐形である。勿論、連結片を中実材料で構成する必要はなく、要求に応じて連結片端部に向かって開いた大きめ或いは小さめの円柱状窪みを有し得る。連結片自由端部で連結片７ａの径ａは、円形の内側横断面を有する管状部分の、即ちここでは部分４の内径ｂよりも小さく、この中に連結片が嵌り込む。管状部分４は押し入れられる前に、地点Ｘでの連結片の外径にほぼ対応する一定の内側横断面を有する。地点Ｘは連結片長さの１０％〜２０％だけ連結片自由端部から離れている。連結片の自由端部で、その径は、連結片に押し込まれる際に管が終端する地点Ｙでのものより０．１％〜５％小さい。
【００１０】
３つの連結片７ａ，７ｂ，７ｃの軸線の角度は当然ながら、互いに連結されるべき２つの管状部分が互いになすべき夫々の角度に対応する。コーナー支柱をコーナー連結パーツ７に連結するために、支柱は、その端部を拡張するに要する力で、それに対応する円錐連結片７ｃに押し付けられる。このために十分に強い圧力が求められるだけなので、管状連結は一方で生み出し簡単で、他方で非常に強く、例えば接着剤やネジのような追加的補助を使用しないで済ますことが通常可能である。
【００１１】
別の２つの連結片７ａ，７ｂもまた連結片７ｃと同じように構成されていることが可能である。しかしながら、それらを円柱形状とし、その外径を挿入されるべきフレームパーツの内径ｂよりもごく僅かだけ小さくすることも可能である。この場合において、それら連結片は、連結片長さの少なくとも６０％にわたって延び弾性接着剤８を充填されたくびれ部ｅを備えることができる。適切な接着剤は、好ましくは硬化後も弾力性のある１成分若しくは２成分接着剤である。フレーム形成管状部分の組みたて後にこの接着剤を導入するために、管状部分は、好ましくはキャビンの内側に、ネジで閉じられ得る開口を有することができる。しかしながら、管状部分を通して連結片内に導入されるネジを、プラスチック接着剤用スプレーノズルとして構成することも可能である。
【００１２】
その支持要素がこのように簡便に互いに連結された管状部分によって形成されている空中ケーブルキャビンは、比較的少ない重量で済むという利点だけでなく、設計者にとっても製造者にとっても、壁、ドア、ベンチ、スキーや他のスポーツ器具のための支持体のような、他のコンポーネントを装着する方法の選択に関して如何なる構造上の障害もないという少なくとも等しく重要な利点を有する。
【図面の簡単な説明】
【００１３】
【図１】空中ケーブルキャビンのフレームの図である。
【図２】そのようなフレームのコーナー連結の図である。
【符号の説明】
【００１４】
１  ベースフレーム
２  ルーフフレーム
３，４，５，６  コーナー支柱
７  コーナー連結パーツ
【図１】
2006021756.tif 000003
【図２】
2006021756.tif 000004